(57)【要約】【課題】カセットカバーに設けられた開口部における防水性を向上させる印字装置およびカセットカバーを提供する。【解決手段】印字装置は、外部に開口する本体開口部を有する本体筐体と、第一カバー３１と透明な第二カバー３２とを有し、本体筐体の本体開口部によって囲まれた領域を覆うカセットカバー３とを備える。第一カバー３１は、カバー開口部４０を有する第一カバー壁部３１１を備える。第二カバー３２は、カバー開口部４０によって囲まれた領域を覆う第二カバー壁部３２１を備える。第二カバー壁部３２１の右端部は、第一カバー壁部３１１の右端部よりも右方に位置する。第二カバー壁部３２１の左端部は、第一カバー壁部３１１の左端部よりも左方に位置する。第二カバー壁部３２１は、右端部から下方に延びる第二右側壁部３２２と、左端部から下方に延びる第二左側壁部３２３とを備える。【選択図】図５
2016168737.tif 000002
【特許請求の範囲】
【請求項１】
印字媒体であるテープに印字を行う印字装置であって、
外部に開口する本体開口部と、前記テープを有するテープカセットを着脱可能なテープカセット装着部とを備えた本体筐体と、
第一カバーと透明または半透明な第二カバーとを有し、前記本体筐体の前記本体開口部によって囲まれた領域を覆うカセットカバーと
を備え、
前記第一カバーは、前記本体開口部によって囲まれた領域の一部を覆い、前記テープカセット装着部を視認可能に開口するカバー開口部を有する第一カバー壁部を備え、
前記第二カバーは、前記カバー開口部によって囲まれた領域を覆う第二カバー壁部を備え、
前記本体筐体の前記本体開口部、前記第一カバー壁部、前記第二カバー壁部は、第一方向にこの順で並び、
前記第二カバー壁部の前記第一方向に交差する第二方向における端部は、前記第一カバー壁部の前記第二方向における端部よりも前記第二方向に位置し、
前記第二カバー壁部の前記第二方向と反対方向である第三方向における端部は、前記第一カバー壁部の前記第三方向における端部よりも前記第三方向に位置し、
前記第二カバー壁部は、前記第二方向における端部から、前記第一カバー壁部の前記第二方向における端部と前記第二方向に並ぶように延びる第一側壁部と、前記第三方向における端部から、前記第一カバー壁部の前記第三方向における端部と前記第三方向に並ぶように延びる第二側壁部とを備えたことを特徴とする印字装置。
【請求項２】
前記第二カバーは、前記第二カバー壁部から前記第一方向に突出する複数の第一凸部を備えたことを特徴とする請求項１に記載の印字装置。
【請求項３】
前記第二カバーは、前記複数の第一凸部が前記第二カバー壁部から突出する位置であり、かつ、前記第二カバーに対して前記第一方向とは反対方向において、前記第二カバー壁部から前記第一カバー壁部まで延びる複数の第二凸部を備えたことを特徴とする請求項２に記載の印字装置。
【請求項４】
前記第一カバーは、前記複数の第一凸部が前記第二カバー壁部から突出する位置であり、かつ、前記第二カバーに対して前記第一方向とは反対方向において、前記第一カバー壁部から前記第二カバー壁部まで延びる複数の第三凸部を備えたことを特徴とする請求項２に記載の印字装置。
【請求項５】
前記第一カバー壁部は、前記第二方向における端部から、前記第一側壁部に前記第三方向に並ぶように延びる第三側壁部と、前記第三方向における端部から、前記第二側壁部に前記第二方向に並ぶように延びる第四側壁部とを備えたことを特徴とする請求項１から４のいずれかに記載の印字装置。
【請求項６】
前記第一側壁部が前記第三側壁部に固定され、かつ、前記第二側壁部が前記第四側壁部に固定されることによって、前記第一カバーと前記第二カバーとが固定されることを特徴とする請求項５に記載の印字装置。
【請求項７】
前記第一カバーは、端部から前記第一方向とは反対方向に突出し、撓むことが可能な固定部を備え、
前記固定部は、前記本体筐体に係合することにより前記本体筐体と前記カセットカバーとを固定し、
前記第二カバーは、前記固定部を覆わないことを特徴とする請求項１から６のいずれかに記載の印字装置。
【請求項８】
前記第一カバー壁部における前記第二カバー壁部に対向する面、または前記第二カバー壁部における前記第一カバー壁部に対向する面に第一所定情報が印刷されたことを特徴とする請求項１から７のいずれかに記載の印字装置。
【請求項９】
前記第一所定情報は、ＱＲコード（登録商標）であることを特徴とする請求項８に記載の印字装置。
【請求項１０】
前記第一カバーは、不透明であることを特徴とする請求項１から９のいずれかに記載の印字装置。
【請求項１１】
前記第二カバー壁部の前記第一方向の面に第二所定情報が印刷されたことを特徴とする請求項１から１０のいずれかに記載の印字装置。
【請求項１２】
前記第二所定情報は、ＱＲコード（登録商標）であることを特徴とする請求項１１に記載の印字装置。
【請求項１３】
前記第二カバー壁部の前記第一方向と前記第二方向とに交差する第四方向における端部は、前記第一カバー壁部の前記第四方向における端部よりも前記第四方向に位置し、
前記第二カバー壁部の前記第四方向と反対方向である第五方向における端部は、前記第一カバー壁部の前記第五方向における端部よりも前記第五方向に位置し、
前記第二カバー壁部は、前記第四方向における端部から、前記第一カバー壁部の前記第四方向における端部と前記第四方向に並ぶように延びる第五側壁部と、前記第五方向における端部から、前記第一カバー壁部の前記第五方向における端部と前記第五方向に並ぶように延びる第六側壁部とを備えたことを特徴とする請求項１から１２のいずれかに記載の印字装置。
【請求項１４】
第一カバーと透明または半透明な第二カバーとを有するカセットカバーであって、
前記第一カバーは、開口するカバー開口部を有する第一カバー壁部を備え、
前記第二カバーは、前記カバー開口部によって囲まれた領域を覆う第二カバー壁部を備え、
前記第一カバー壁部、前記第二カバー壁部は、第一方向にこの順で並び、
前記第二カバー壁部の前記第一方向に交差する第二方向における端部は、前記第一カバー壁部の前記第二方向における端部よりも前記第二方向に位置し、
前記第二カバー壁部の前記第二方向と反対方向である第三方向における端部は、前記第一カバー壁部の前記第三方向における端部よりも前記第三方向に位置し、
前記第二カバー壁部は、前記第二方向における端部から、前記第一カバー壁部の前記第二方向における端部と前記第二方向に並ぶように延びる第一側壁部と、前記第三方向における端部から、前記第一カバー壁部の前記第三方向における端部と前記第三方向に並ぶように延びる第二側壁部とを備えたことを特徴とするカセットカバー。
【発明の詳細な説明】
【技術分野】
【０００１】
本発明は、開口部を有するカバーを備えた印字装置およびカセットカバーに関する。
【背景技術】
【０００２】
従来、テープカセットに収納されたテープに印字を行う印字装置が知られている。テープカセットに収納されるテープには、様々な種類（例えば、テープの幅、テープの色）がある。テープカセットには、ユーザがテープの種類を容易に認識できるようにテープカセットの表面にテープの種類を記載しているものがある。また、テープカセットには、テープカセットの一部分を透明にしたり、開口部を設けたりすることにより収納されたテープの残量をユーザが視認できるものもある。
【０００３】
特許文献１に記載の印字装置は、開口部を有する上カバーを備える。開口部は、本体筐体に装着されたテープカセットに対向する位置に設けられる。上カバーを本体筐体に対して閉じた場合には、ユーザは、開口部を介してテープカセットを視認して、印刷テープの残量を確認できる。
【先行技術文献】
【特許文献】
【０００４】
【特許文献１】特開２０１３−１１１７５６号公報
【発明の概要】
【発明が解決しようとする課題】
【０００５】
上記の印字装置では、開口部に透明な部材を設けたとしても、その部材を開口部に取り付けるため、設計上、開口部と透明部材との間にクリアランスが必要になる。この場合、そのクリアランスを介して開口部から本体筐体の内部に液体が侵入し、本体筐体に装着したテープが濡れるおそれがあった。
【０００６】
本発明の目的は、カセットカバーに設けられた開口部における防水性を向上させる印字装置およびカセットカバーを提供することである。
【課題を解決するための手段】
【０００７】
本発明の第一態様に係る印字装置は、印字媒体であるテープに印字を行う印字装置であって、外部に開口する本体開口部と、前記テープを有するテープカセットを着脱可能なテープカセット装着部とを備えた本体筐体と、第一カバーと透明または半透明な第二カバーとを有し、前記本体筐体の前記本体開口部によって囲まれた領域を覆うカセットカバーとを備え、前記第一カバーは、前記本体開口部によって囲まれた領域の一部を覆い、前記テープカセット装着部を視認可能に開口するカバー開口部を有する第一カバー壁部を備え、前記第二カバーは、前記カバー開口部によって囲まれた領域を覆う第二カバー壁部を備え、前記本体筐体の前記本体開口部、前記第一カバー壁部、前記第二カバー壁部は、第一方向にこの順で並び、前記第二カバー壁部の前記第一方向に交差する第二方向における端部は、前記第一カバー壁部の前記第二方向における端部よりも前記第二方向に位置し、前記第二カバー壁部の前記第二方向と反対方向である第三方向における端部は、前記第一カバー壁部の前記第三方向における端部よりも前記第三方向に位置し、前記第二カバー壁部は、前記第二方向における端部から、前記第一カバー壁部の前記第二方向における端部と前記第二方向に並ぶように延びる第一側壁部と、前記第三方向における端部から、前記第一カバー壁部の前記第三方向における端部と前記第三方向に並ぶように延びる第二側壁部とを備える。
【０００８】
上記の印字装置は、第一カバーと透明または半透明な第二カバーとを有するカセットカバーを備える。第二カバーは透明または半透明であるため、ユーザは第一カバーの第一カバー壁部に設けられたカバー開口部を介してテープカセット装着部を視認できる。第二カバーの第二カバー壁部は、第一カバーの第一カバー壁部に設けられたカバー開口部によって囲まれた領域を覆う。第二カバー壁部の第二方向における端部は、第一カバー壁部の第二方向における端部よりも第二方向に位置し、第二カバー壁部の第三方向における端部は、第一カバー壁部の第三方向における端部よりも第三方向に位置する。第二カバー壁部は、第一側壁部と第二側壁部とを備える。これにより、第二カバー壁部に対して外部から液体が付着した場合、液体は第一側壁部または第二側壁部を伝って落ちる。ゆえに、印字装置は外部から第二カバー壁部に付着した液体が、第一カバー壁部に設けられたカバー開口部を介して、第二方向および第三方向から本体筐体の内部に侵入することを防止できる。
【０００９】
本発明の第一態様に係る印字装置において、前記第二カバーは、前記第二カバー壁部から前記第一方向に突出する複数の第一凸部を備えてもよい。例えば、第二カバー壁部を平面に向けて印字装置をその平面に置いた場合、第二カバー壁部が平面に接触して傷が付くおそれがある。特に、第二カバーは透明または半透明であるので傷が目立ちやすい。印字装置は第二カバー壁部に複数の第一凸部を備えるため、第二カバー壁部を平面に向けて印字装置をその平面に置いた場合においても、複数の第一凸部がその平面に接触する。ゆえに、第二カバー壁部はその平面に接触しないため、印字装置は、第二カバー壁部に傷が付くことを防ぐことができる。
【００１０】
本発明の第一態様に係る印字装置において、前記第二カバーは、前記複数の第一凸部が前記第二カバー壁部から突出する位置であり、かつ、前記第二カバーに対して前記第一方向とは反対方向において、前記第二カバー壁部から前記第一カバー壁部まで延びる複数の第二凸部を備えてもよい。この場合、第二カバーは第一凸部の裏側に第二凸部を備える。例えば、カセットカバーを第二カバー側から見た場合、第二カバーは透明または半透明であるが、第二凸部は第一凸部に隠れるため、ユーザは第二凸部を認識しづらい。ゆえに、印字装置は意匠に関係のない部品をユーザに認識させづらくできるため、美感を保つことができる。さらに、ユーザが第二カバー壁部を外部から押した場合、複数の第二凸部が第一カバー壁部と第二カバー壁部との間に設けられているため、第二カバー壁部は第一カバー壁部側に撓まない。ゆえに、印字装置は第二カバー壁部が第一カバー壁部に接触することにより、第一カバー壁部および第二カバー壁部が損傷することを防ぐことができる。
【００１１】
本発明の第一態様に係る印字装置において、前記第一カバーは、前記複数の第一凸部が前記第二カバー壁部から突出する位置であり、かつ、前記第二カバーに対して前記第一方向とは反対方向において、前記第一カバー壁部から前記第二カバー壁部まで延びる複数の第三凸部を備えてもよい。この場合、第一カバーは第一凸部の裏側に第三凸部を備える。例えば、カセットカバーを第二カバー側から見た場合、第二カバーは透明または半透明であるが、第三凸部は第一凸部に隠れるため、ユーザは第三凸部を認識しづらい。ゆえに、印字装置は意匠に関係のない部品をユーザに認識させづらくできるため、美感を保つことができる。さらに、ユーザが第二カバー壁部を外部から押した場合、複数の第三凸部が第一カバー壁部と第二カバー壁部との間に設けられているため、第二カバー壁部は第一カバー壁部側に撓まない。ゆえに、印字装置は第二カバー壁部が第一カバー壁部に接触することにより、第一カバー壁部および第二カバー壁部が損傷することを防ぐことができる。
【００１２】
本発明の第一態様に係る印字装置において、前記第一カバー壁部は、前記第二方向における端部から、前記第一側壁部に前記第三方向に並ぶように延びる第三側壁部と、前記第三方向における端部から、前記第二側壁部に前記第二方向に並ぶように延びる第四側壁部とを備えてもよい。この場合、第一カバーは第一側壁部の内側に第三側壁部を備え、第二側壁部の内側に第四側壁部を備える。これにより、第一カバーの第二方向および第三方向の端部からカバー開口部までの距離が長くなるため、印字装置は防水性がさらに向上する。
【００１３】
本発明の第一態様に係る印字装置は、前記第一側壁部が前記第三側壁部に固定され、かつ、前記第二側壁部が前記第四側壁部に固定されることによって、前記第一カバーと前記第二カバーとが固定されてもよい。この場合、印字装置は、第一カバーと第二カバーとが対向する側面で固定されるため第二カバー壁部に、型構造におけるパーティングライン等の美感を害する部位を極力目立たせることなく、第一カバーと第二カバーとを確実に固定できる。
【００１４】
本発明の第一態様に係る印字装置において、前記第一カバーは、端部から前記第一方向とは反対方向に突出し、撓むことが可能な固定部を備え、前記固定部は、前記本体筐体に係合することにより前記本体筐体と前記カセットカバーとを固定し、前記第二カバーは、前記固定部を覆わなくてもよい。この場合、本体筐体とカセットカバーとを固定する固定部は撓ますことによって本体筐体に係合する。第一カバーが備える固定部は第二カバーに覆われていないため、ユーザは固定部を容易に撓ませることができる。ゆえに、印字装置は本体筐体とカセットカバーとを容易に固定できる。
【００１５】
本発明の第一態様に係る印字装置は、前記第一カバー壁部における前記第二カバー壁部に対向する面、または前記第二カバー壁部における前記第一カバー壁部に対向する面に第一所定情報が印刷されてもよい。この場合、カセットカバーは第一カバーと第二カバーとを備えるため、印字装置は、第一カバー壁部における第二カバー壁部に対向する面、および第二カバー壁部における第一カバー壁部に対向する面に第一所定情報を印刷可能である。また、第一所定情報が印刷される面はカセットカバーの内側を向く面であるので、傷が付いたり摩耗したりしない。ゆえに、印字装置は第一所定情報を傷や摩耗から保護できる。さらに、第一カバー壁部はテープカセット装着部を視認できるカバー開口部を有する。ゆえに、印字装置は、ユーザがテープカセット装着部を確認するたびに、第一所定情報をユーザに視認させることができる。
【００１６】
本発明の第一態様に係る印字装置において、前記第一所定情報は、ＱＲコード（登録商標）であってもよい。この場合、印字装置はＱＲコードを介して専用のアプリケーションにユーザを誘導しやすくなる。
【００１７】
本発明の第一態様に係る印字装置において、前記第一カバーは、不透明であってもよい。この場合、第二カバーは透明または半透明であるが、第一カバーが不透明であるため、カセットカバーが本体筐体に取り付けられた状態で、ユーザはカバー開口部以外からは本体筐体の内部を視認できない。ゆえに、印字装置は、美感を害する部位をユーザに認識させないため、美感を保つことができる。
【００１８】
本発明の第一態様に係る印字装置は、前記第二カバー壁部の前記第一方向の面に第二所定情報が印刷されてもよい。この場合、第一カバー壁部はテープカセット装着部を視認できるカバー開口部を有する。ゆえに、印字装置は、ユーザがテープカセット装着部を確認するたびに、第二所定情報をユーザに視認させることができる。さらに、最も外側の面に第二所定情報が印刷されるため、ユーザは第二所定情報を明瞭に視認できる。ゆえに、印字装置は、明瞭な第二所定情報をユーザに視認させることができる。
【００１９】
本発明の第一態様に係る印字装置において、前記第二所定情報は、ＱＲコード（登録商標）であってもよい。この場合、ＱＲコードは明瞭であるため、印字装置はＱＲコードを読み取ることが可能な装置でＱＲコードを容易に読み取らせることができる。
【００２０】
本発明の第一態様に係る印字装置において、前記第二カバー壁部の前記第一方向と前記第二方向とに交差する第四方向における端部は、前記第一カバー壁部の前記第四方向における端部よりも前記第四方向に位置し、前記第二カバー壁部の前記第四方向と反対方向である第五方向における端部は、前記第一カバー壁部の前記第五方向における端部よりも前記第五方向に位置し、前記第二カバー壁部は、前記第四方向における端部から、前記第一カバー壁部の前記第四方向における端部と前記第四方向に並ぶように延びる第五側壁部と、前記第五方向における端部から、前記第一カバー壁部の前記第五方向における端部と前記第五方向に並ぶように延びる第六側壁部とを備えてもよい。この場合、第二カバー壁部の第四方向における端部は、第一カバー壁部の第四方向における端部よりも第四方向に位置し、第二カバー壁部の第五方向における端部は、第一カバー壁部の第五方向における端部よりも第五方向に位置する。前記第二カバー壁部は、第五側壁部と第六側壁部とを備える。これにより、第二カバー壁部に対して外部から液体が付着した場合、液体は第一側壁部、第二側壁部、第五側壁部または第六側壁部を伝って落ちる。ゆえに、印字装置は外部から第二カバー壁部に付着した液体が、第一カバー壁部に設けられたカバー開口部を介して、第二方向、第三方向、第五方向、および第六方向から本体筐体の内部に侵入することを防止できる。
【００２１】
本発明の第二態様に係るカセットカバーは、第一カバーと透明または半透明な第二カバーとを有するカセットカバーであって、前記第一カバーは、開口するカバー開口部を有する第一カバー壁部を備え、前記第二カバーは、前記カバー開口部によって囲まれた領域を覆う第二カバー壁部を備え、前記第一カバー壁部、前記第二カバー壁部は、第一方向にこの順で並び、前記第二カバー壁部の前記第一方向に交差する第二方向における端部は、前記第一カバー壁部の前記第二方向における端部よりも前記第二方向に位置し、前記第二カバー壁部の前記第二方向と反対方向である第三方向における端部は、前記第一カバー壁部の前記第三方向における端部よりも前記第三方向に位置し、前記第二カバー壁部は、前記第二方向における端部から、前記第一カバー壁部の前記第二方向における端部と前記第二方向に並ぶように延びる第一側壁部と、前記第三方向における端部から、前記第一カバー壁部の前記第三方向における端部と前記第三方向に並ぶように延びる第二側壁部とを備える。
【００２２】
上記のカセットカバーは、カバー開口部を有する第一カバー壁部を備えた第一カバーと、透明または半透明な第二カバーとを有するカセットカバーを備える。第二カバーの第二カバー壁部は、カバー開口部によって囲まれた領域を覆う。第二カバー壁部の第二方向における端部は、第一カバー壁部の第二方向における端部よりも第二方向に位置し、第二カバー壁部の第三方向における端部は、第一カバー壁部の第三方向における端部よりも第三方向に位置する。前記第二カバー壁部は、第一側壁部と第二側壁部とを備える。これにより、第二カバー壁部に対して外部から液体が付着した場合、液体は第一側壁部または第二側壁部を伝って落ちる。ゆえに、カセットカバーは第二カバー側から第二カバー壁部に付着した液体が、第二方向および第三方向から第一カバー壁部に設けられたカバー開口部を介して侵入することを防止できる。
【図面の簡単な説明】
【００２３】
【図１】印字装置１を左前下方から見た斜視図である。
【図２】印字装置１を右後上方から見た斜視図である。
【図３】本体筐体２を右後上方から見た斜視図である。
【図４】テープカセット９が装着された本体筐体２の平面図である。
【図５】カセットカバー３を左前下方から見た分解斜視図である。
【図６】図２のVI−VI線矢視方向におけるカセットカバー３の断面図である。
【発明を実施するための形態】
【００２４】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。以下の説明では、図１の右上方、左下方、右下方、左上方、下方、および上方を、それぞれ、印字装置１の後方、前方、左方、右方、上方、および下方と定義する。
【００２５】
本実施形態に係る印字装置１の概略構成について、図１、図２を参照して説明する。印字装置１は、着脱可能なテープカセット９（図４参照）を装着し、テープカセット９に収容されたテープ１００（図４参照）に文字、数字、図形等のキャラクタを印刷することが可能である。テープ１００は、例えば一方の面が過熱によって発色する印刷面であり、他方の面に接着剤が塗布されて剥離紙が貼りつけられたサーマルタイプの印刷媒体である。
【００２６】
図１、図２に示すように、印字装置１は、平面視、前後方向を長手方向とする略矩形状である。印字装置１は、上下方向に厚みを有し、角部が丸みを帯びた箱状である。印字装置１は、本体筐体２とカセットカバー３とを備える。本体筐体２は樹脂製である。本体筐体２は、上筐体２１と下筐体２２とを備える。上筐体２１は、本体筐体２の前後左右の側壁の上側部分と上壁とを形成する。下筐体２２は、本体筐体２の前後左右の側壁の下側部分と下壁とを形成する。
【００２７】
図１に示すように、下筐体２２には、文字入力キー２Ａ、機能キー２Ｂ、および液晶ディスプレイ（以下、「ＬＣＤ」という。）２Ｃが組み付けられる。文字入力キー２Ａは、下筐体２２の下壁の前後方向の中央よりも前寄りの位置から前端部までの部分に配設される。文字入力キー２Ａは、種々の文字入力等を行う。機能キー２Ｂは、文字入力キー２Ａの後側に配設される。機能キー２Ｂは、電源の入切、印字装置１の各種制御等を行う。ＬＣＤ２Ｃは、機能キー２Ｂの後側から下筐体２２の下壁の後端部までの部分に配設される。ＬＣＤ２Ｃは、入力した文字や記号等を表示する。
【００２８】
カセットカバー３は、上筐体２１の上壁に取り外し可能に取り付けられる。カセットカバー３の詳細については後述する。印字装置１は、下筐体２２と、カセットカバー３が取り付けられた状態の上筐体２１とを上下方向に組み合わせて箱状に構成される。なお、図示しないが、本体筐体２の上壁と下壁との間には、制御基板、電源基板等が設けられる。制御基板は、制御回路部を構成する。電源基板は、電源回路を構成する。
【００２９】
印字装置１の内部構成について、図３、図４を参照して説明する。図３、図４に示すように、本体筐体２の上壁は、カセットカバー３を取り外した状態で外部に開口する。以下、本体筐体２の上壁に形成される開口を本体開口部５という。本体開口部５の前端部には電池装着部５１が設けられる。電池装着部５１には電池５００が取り外し可能に取り付けられる。電池装着部５１の後側から本体開口部５の後端近傍までにはテープカセット装着部５０が設けられる。テープカセット装着部５０にはテープカセット９が取り外し可能に装着される。
【００３０】
テープカセット装着部５０は、リボン巻取軸５２、テープ駆動ローラ軸５３、ヘッド部５４等を備える。リボン巻取軸５２は、テープカセット装着部５０の略中央部に立設される。リボン巻取軸５２は、テープカセット９に設けられた後述のリボン巻取スプール９５２（図４参照）に嵌入されて回転駆動する。テープ駆動ローラ軸５３は、テープカセット装着部５０の左後角部に立設される。テープ駆動ローラ軸５３は、テープカセット９に設けられた後述のテープ送りローラ９５３（図４参照）に嵌入されて回転駆動する。ヘッド部５４は、リボン巻取軸５２の左方に立設される。ヘッド部５４は、複数の発熱素子を有するサーマルヘッドを左側面に備える。印字装置１は、発熱素子への通電を制御し、個々の発熱素子を個別に発熱させることで、インクリボン(図示略)によってテープカセット９から引き出されたテープ１００の印刷面にキャラクタを印刷する。
【００３１】
上筐体２１の左側壁の上端部であって前後方向中央部から後側には、右方に延びる保護壁６０が設けられる。保護壁６０は、カム案内孔６０Ａ，６０Ｂを有する。カム案内孔６０Ａ，６０Ｂは、それぞれ、カセットカバー３に設けられる後述のローラホルダカム４９、サイドセンサカム４８（図５参照）に対応する位置で上下に貫通する。保護壁６０の下側にはローラホルダ６１（図４参照）が設けられる。ローラホルダ６１は、左右方向に回動可能に軸支される。ローラホルダ６１の前後方向の略中央部には、プラテンローラ６２が設けられる。ローラホルダ６１の前端部には、テープサブローラ６３が設けられる。プラテンローラ６２およびテープサブローラ６３は、ローラホルダ６１によって回転可能に支持される。
【００３２】
保護壁６０の下側、かつ、プラテンローラ６２の前側には、サイドセンサ５７（図３参照）が設けられる。サイドセンサ５７は略直方体状である。サイドセンサ５７は左右方向に移動可能である。サイドセンサ５７は、テープ１００の種類を判別するための信号を不図示の制御回路部に入力可能である。
【００３３】
本体筐体２の左後角部には、ノブ２３が設けられる。ノブ２３は、本体筐体２の内側に向けて押下することにより後述の切断機構５８を駆動する。上筐体２１の後側壁であって、ノブ２３の右側には、排出口２４が設けられる。排出口２４は、上筐体２１の後側壁を前後方向に貫通する。排出口２４の前側には、切断機構５８が設けられる。切断機構５８によって切断されたテープ１００は排出口２４から排出される。
【００３４】
上筐体２１の後側壁であって、排出口２４の左側には下方に凹む凹部２７が設けられる。凹部２７の下面には、下方に凹む係合口２７１が設けられる。上筐体２１の前側壁の上端部には、下方に凹む一対の係合口２６が設けられる。係合口２７１、一対の係合口２６には、それぞれ、カセットカバー３に設けられた後述の係合片４４１、一対の係合片４５（図５参照）が係合する。
【００３５】
印字装置１のカセットカバー３の詳細について、図２、図５、図６を参照して説明する。カセットカバー３は、本体筐体２に取り付けられた状態において、本体開口部５によって囲まれた領域を覆う。図５、図６に示すように、カセットカバー３は、第二カバー３２と第一カバー３１とを備える。第二カバー３２は透明な樹脂製である。図５に示すように、第二カバー３２の前後方向および左右方向の長さは、それぞれ、本体筐体２（図１参照）の前後方向および左右方向の長さと略等しい。第二カバー３２は、第二カバー壁部３２１、第二右側壁部３２２、第二左側壁部３２３、第二前側壁部３２４、および第二後側壁部３２５で形成される。第二カバー壁部３２１は、前後方向を長手方向とした平面視矩形状である。第二右側壁部３２２、第二左側壁部３２３、第二前側壁部３２４、および第二後側壁部３２５は、それぞれ、第二カバー壁部３２１の右端部、左端部、前端部、および後端部から丸みをもって下方に延びる。
【００３６】
図２、図５、図６に示すように、第二カバー壁部３２１は、４つの第一凸部４７と４つの第二凸部４６とを備える。図２、図６に示すように、４つの第一凸部４７は、それぞれ、第二カバー壁部３２１の四隅から上方に突出する。４つの第一凸部４７のそれぞれは平面視略円状である。図５、図６に示すように、４つの第二凸部４６は、それぞれ、第二カバー壁部３２１であって、４つの第一凸部４７の裏側から下方に突出する。４つの第二凸部４６のそれぞれは平面視略円状である。図６に示すように、４つの第二凸部４６は、それぞれ、第一カバー壁部３１１に当接する。
【００３７】
図２に示すように、第二カバー壁部３２１の上面には、ＱＲコード（登録商標）３００が印刷される。カセットカバー３を上側から見た場合、ＱＲコード３００は、第一カバー壁部３１１のカバー開口部４０の左側の位置に見える。なお、第二カバー３２は透明であるため、図２では第一カバー３１に設けられているカバー開口部４０と、テープカセット装着部５０に装着されたテープカセット９の窓部９３および表示部９４とを破線で示してある。
【００３８】
図５に示すように、第二右側壁部３２２は一対の係合片３２Ａを備える。一対の係合片３２Ａは、それぞれ、第二右側壁部３２２の下端部近傍であって、前後両側から左方に突出する。第二左側壁部３２３は一対の係合片３２Ｂを備える。この一対の係合片３２Ｂは、それぞれ、第二左側壁部３２３の下端部近傍であって、前後両側から右方に突出する。
【００３９】
第一カバー３１は不透明な樹脂製である。第一カバー３１の前後方向および左右方向の長さは、それぞれ、第二カバー３２の前後方向および左右方向の長さよりもわずかに短い。これにより、第一カバー３１は第二カバー３２に篏合する。第一カバー３１が第二カバー３２に篏合された状態では、第二カバー壁部３２１の左端部は第一カバー壁部３１１の左端部よりも左方に位置する。第二カバー壁部３２１の右端部は第一カバー壁部３１１の右端部よりも右方に位置する。第二カバー壁部３２１の前端部は第一カバー壁部３１１の前端部よりも前方に位置する。第二カバー壁部３２１の後端部は第一カバー壁部３１１の後端部よりも後方に位置する。
【００４０】
第一カバー３１は、第一カバー壁部３１１、第一右側壁部３１２、第一左側壁部３１３、第一前側壁部３１４、および第一後側壁部３１５で形成される。第一カバー壁部３１１は、前後方向を長手方向とした平面視矩形状である。第一カバー壁部３１１の前後方向および左右方向の長さは、それぞれ、本体筐体２の前後方向および左右方向の長さよりもやや短い。第一右側壁部３１２、第一左側壁部３１３、第一前側壁部３１４、および第一後側壁部３１５は、それぞれ、第一カバー壁部３１１の右端部、左端部、前端部、および後端部から丸みをもって下方に延びる。
【００４１】
第一カバー壁部３１１は、カバー開口部４０、リブ４３、５つの押さえピン４２、電池押さえ部４１、ローラホルダカム４９、サイドセンサカム４８等を備える。カバー開口部４０は、第一カバー壁部３１１の前後方向の略中央部であって右側の位置で上下方向に貫通する。カバー開口部４０は、平面視略矩形状である。第一カバー３１が第二カバー３２に篏合した場合、カバー開口部４０によって囲まれた領域は第二カバー壁部３２１によって覆われる。カバー開口部４０は、テープカセット装着部５０に装着されたテープカセット９の後述の窓部９３（図４参照）と表示部９４（図４参照）とに対向する。リブ４３は、第一カバー壁部３１１から下方にわずかに突出し、前後左右方向に延びる。リブ４３は、第一カバー３１を補強する。５つの押さえピン４２は、第一カバー壁部３１１から下方に突出する。５つの押さえピン４２は、カセットカバー３を本体筐体２に取り付けた場合に、テープカセット装着部５０に装着されたテープカセット９に当接される高さに形成される。電池押さえ部４１は、電池５００の形に沿うように前後方向に延びる。電池押さえ部４１は、カセットカバー３を本体筐体２に取り付けた場合に、電池５００（図３参照）に当接して電池５００の上下方向の移動を規制する。
【００４２】
ローラホルダカム４９は、第一カバー壁部３１１の後側であって左端部近傍から下方に突出する。ローラホルダカム４９は、上下方向を長手方向とした略直方体状であり、先端部は正面視略三角形状である。ローラホルダカム４９は、カセットカバー３を本体筐体２に取り付けた場合に、ローラホルダ６１（図４参照）を右方に回動させる。
【００４３】
サイドセンサカム４８は、第一カバー壁部３１１の前後方向の略中央であって左端部近傍から下方に突出する。サイドセンサカム４８は、上下方向を長手方向とした側面視略矩形状の板状であり、先端部は側面視Ｕ字状である。サイドセンサカム４８の高さはローラホルダカム４９の高さよりも低い。サイドセンサカム４８は、カセットカバー３を本体筐体２に取り付けた場合に、サイドセンサ５７（図３参照）を右方に移動させる。
【００４４】
第一右側壁部３１２は、一対の係合孔３１Ａを備える。一対の係合孔３１Ａは、それぞれ、第一右側壁部３１２の下端部近傍であって、前後両側で左右方向に貫通する。第一左側壁部３１３は、一対の係合孔３１Ｂを備える。一対の係合孔３１Ｂは、それぞれ、第一左側壁部３１３の下端部近傍であって、前後両側で左右方向に貫通する。
【００４５】
図６に示すように、第二右側壁部３２２の一対の係合片３２Ａは、それぞれ、第一右側壁部３１２の一対の係合孔３１Ａに係合する。第二左側壁部３２３の一対の係合片３２Ｂは、それぞれ、第一左側壁部３１３の一対の係合孔３１Ｂに係合する。これにより、第一カバー３１と第二カバー３２とは、組付けられて固定される。
【００４６】
第一後側壁部３１５は、板状の押圧部４４を備える。押圧部４４は前方に撓むことが可能である。押圧部４４は、第一後側壁部３１５の下端部であって、左右方向の略中央より右側の位置から下方に延出する。押圧部４４の左右方の長さは、本体筐体２の凹部２７（図３参照）の左右方向の長さより短い。押圧部４４は、カセットカバー３を本体筐体２に取り付けた場合に、本体筐体２の凹部２７に篏合する。押圧部４４は係合片４４１を備える。係合片４４１は、押圧部４４の下端部であって左右方向の中央部から下方に突出する。係合片４４１の下端には、後方に突出する係止突起が形成される。係合片４４１は、押圧部４４を前方に撓ませることにより凹部２７の係合口２７１（図３参照）に係合可能である。これにより、本体筐体２とカセットカバー３とは固定される。なお、第一カバー３１が第二カバー３２に篏合された状態において、押圧部４４は第一後側壁部３１５から下方に突出し、第二カバー３２の第二後側壁部３２５よりも下側に位置するため、押圧部４４の後面は第二カバー３２によって覆われていない。
【００４７】
第一前側壁部３１４は、一対の係合片４５を備える。一対の係合片４５は、第一前側壁部３１４の下端部であって、左右両側から下方に突出する。一対の係合片４５には、それぞれ、前方に突出する係止突起が形成される。一対の係合片４５は、本体筐体２の一対の係合口２６（図３参照）に係合可能である。
【００４８】
テープカセット９の概略構成について、図４を参照して説明する。テープカセット９は平面視略長方形の箱型状である。テープカセット９の上面の略中央には、前後方向を長手方向とする平面視略矩形状の窓部９３が形成される。窓部９３の右側には表示部９４が設けられる。表示部９４には、テープカセット９に収容されているテープの種類（テープの幅やテープの色等）が表示される。例えば、テープカセット９に収容されたテープ１００の幅が１２ｍｍであり、色が白の場合、「１２ｍｍ  ＷＨＩＴＥ」と表示部９４に表示される。
【００４９】
また、窓部９３の下方にはテープカセット９に収容されたテープ１００が配置される。先述したように、第一カバー３１に設けられたカバー開口部４０は、窓部９３と表示部９４に対向する。すなわち、ユーザはカセットカバー３を本体筐体２に取り付けた状態においても、カバー開口部４０を介してテープカセット９の窓部９３と表示部９４とを視認でき、テープ１００の残量とテープ１００の種類とを確認できる（図２参照）。
【００５０】
テープカセット９には、リボン巻取スプール９５２およびテープ送りローラ９５３が設けられる。リボン巻取スプール９５２、およびテープ送りローラ９５３はテープカセット９に回転可能に支持される。リボン巻取スプール９５２は回転することによりインクリボン（図示略）を巻き取る。テープ送りローラ９５３は、テープ１００を搬送する。
【００５１】
印字装置１を使用する流れについて、図１〜図４を参照して説明する。ユーザは、本体筐体２に取り付けられているカセットカバー３を取り外す（図３参照）。詳細には、ユーザはカセットカバー３の押圧部４４を前側へ撓ませながら、係合片４４１と係合口２７１との係合を解除する。次いで、ユーザはそれぞれ係合した一対の係合片４５および一対の係合口２６を回動軸として、カセットカバー３を前側上方に回動させてカセットカバー３を本体筐体２から取り外す。
【００５２】
次いで、ユーザはテープカセット９をテープカセット装着部５０に装着する（図４参照）。詳細には、ユーザはテープカセット９のリボン巻取スプール９５２およびテープ送りローラ９５３に、それぞれ、リボン巻取軸５２およびテープ駆動ローラ軸５３を嵌入する。
【００５３】
次いで、ユーザはカセットカバー３を本体筐体２に取り付ける（図２参照）。詳細には、ユーザは一対の係合片４５を一対の係合口２６にそれぞれ係合させる。次いで、ユーザは、それぞれ係合した一対の係合片４５および一対の係合口２６を回動軸として、カセットカバー３を後側下方に回動させる。次いで、ユーザは、押圧部４４を前側に撓ませながら係合片４４１を係合口２７１に係合させてカセットカバー３を本体筐体２に取り付ける。この時、カセットカバー３に設けられた５つの押さえピン４２は、それぞれ、テープカセット装着部５０に装着されたテープカセット９に当接される。これにより、テープカセット９の上下方向が位置決めされる。
【００５４】
カセットカバー３が本体筐体２に取り付けられた場合には、ローラホルダカム４９およびサイドセンサカム４８は、それぞれ、カム案内孔６０Ａ，６０Ｂに挿入される。ローラホルダカム４９は、不図示のばねの付勢力に抗ってローラホルダ６１を右方へ回動させる。テープ１００は、プラテンローラ６２によってヘッド部５４の左側面（サーマルヘッド）に押圧される。サイドセンサカム４８は、不図示のばねの付勢力に抗ってサイドセンサ５７を右方へ移動させる。不図示の制御回路部は、サイドセンサ５７によって入力された信号に基づいてテープ１００の種類を判別する。
【００５５】
次いで、ユーザは機能キー２Ｂや文字入力キー２Ａを操作して印刷を開始する（図１参照）。印刷が開始されると、印字装置１はヘッド部５４が有する発熱素子への通電を制御し、個々の発熱素子を個別に発熱させることで、テープカセット９から引き出されたテープ１００の印刷面にキャラクタを印刷する。印刷されたテープ１００は、テープ送りローラ９５３とテープサブローラ６３との回転によって排出口２４から排出される。
【００５６】
以上説明したように、上記実施形態によれば、印字装置１は、カバー開口部４０を有する第一カバー壁部３１１を備えた第一カバー３１と、透明な第二カバー３２とを有するカセットカバー３を備える。第二カバー３２は透明であるため、ユーザはカセットカバー３を本体筐体２に取り付けた状態においても、カバー開口部４０を介してテープカセット９の窓部９３と表示部９４とを視認でき、テープ１００の残量とテープ１００の種類とを確認できる。
【００５７】
第二カバー３２の第二カバー壁部３２１は、カバー開口部４０によって囲まれた領域を覆う。第二カバー壁部３２１の左端部は、第一カバー壁部３１１の左端部よりも左方に位置する。第二カバー壁部３２１の右端部は、第一カバー壁部３１１の右端部よりも右方に位置する。第二カバー壁部３２１の前端部は、第一カバー壁部３１１の前端部よりも前方に位置する。第二カバー壁部３２１の後端部は、第一カバー壁部３１１の後端部よりも後方に位置する。第二カバー壁部３２１は、左右方向の両端部からそれぞれ下方に延びる第二左側壁部３２３および第二右側壁部３２２と、前後方向の両端部からそれぞれ下方に延びる第二前側壁部３２４および第二後側壁部３２５とを備える。これにより、第二カバー壁部３２１を上側に向けた印字装置１において、第二カバー壁部３２１に対して上方から液体が付着した場合、液体は第二左側壁部３２３、第二右側壁部３２２、第二前側壁部３２４、または第二後側壁部３２５を伝って落ちる。ゆえに、印字装置１は上方から第二カバー壁部３２１に付着した液体が、カバー開口部４０を介して水平方向のいずれからも本体筐体２の内部に侵入することを防止できる。
【００５８】
第二カバー３２は、第二カバー壁部３２１から上方に突出する４つの第一凸部４７を備える。例えば、第二カバー壁部３２１を平面に向けて印字装置１をその平面に置いた場合、第二カバー壁部３２１が平面に接触して傷が付くおそれがある。特に、第二カバー３２は透明であるので傷が目立ちやすい。印字装置１は、第二カバー壁部３２１を平面に向けてその平面に置かれた場合においても、４つの第一凸部４７がその平面に接触する。ゆえに、第二カバー壁部３２１はその平面に接触しないため、印字装置１は、第二カバー壁部３２１に傷が付くことを防ぐことができる。
【００５９】
第二カバー３２は、４つの第一凸部４７の裏側に４つの第二凸部４６を備える。例えば、カセットカバー３を上側から見た場合、第二カバー３２は透明であるが、４つの第二凸部４６はそれぞれ４つの第一凸部４７に隠れるため、ユーザは４つの第二凸部４６を認識しづらい。ゆえに、印字装置１は意匠に関係のない機能部品をユーザに認識させづらくできるため、美感を保つことができる。さらに、４つの第二凸部４６は、それぞれ第一カバー壁部３１１に当接する。これにより、ユーザが第二カバー壁部３２１を上側から押した場合、第二カバー壁部３２１は第一カバー壁部３１１側に撓まない。ゆえに、印字装置１は第二カバー壁部３２１が第一カバー壁部３１１に接触することにより、第一カバー壁部３１１および第二カバー壁部３２１が損傷することを防ぐことができる。
【００６０】
第一カバー３１は、第二左側壁部３２３の右側に第一左側壁部３１３を備え、第二右側壁部３２２の左側に第一右側壁部３１２を備える。これにより、第一カバー３１の左右方向の両端部からカバー開口部４０までの距離が長くなるため、印字装置１は防水性がさらに向上する。
【００６１】
第一右側壁部３１２の一対の係合孔３１Ａに第二右側壁部３２２の一対の係合片３２Ａがそれぞれ係合する。第一左側壁部３１３の一対の係合孔３１Ｂに第二左側壁部３２３の一対の係合片３２Ｂがそれぞれ係合する。これにより、第一カバー３１と第二カバー３２とは固定される。ゆえに、第一カバー３１と第二カバー３２とが対向する側面で固定されるため第二カバー壁部３２１に、型構造におけるパーティングライン等の美感を害する部位を極力目立たせることなく、第一カバー３１と第二カバー３２とを確実に固定できる。
【００６２】
押圧部４４に設けられた係合片４４１は、押圧部４４を前方に撓ませることにより本体筐体２に設けられた凹部２７の係合口２７１に係合する。これにより、本体筐体２とカセットカバー３とは固定される。また、第一カバー３１が第二カバー３２に篏合された状態において、押圧部４４は第一後側壁部３１５から下方に突出し、第二カバー３２の第二後側壁部３２５よりも下側に位置する。すなわち、押圧部４４の後面は第二カバー３２によって覆われていないため、ユーザは押圧部４４を容易に撓ませることができる。ゆえに、印字装置１は本体筐体２とカセットカバー３とを容易に固定できる。
【００６３】
印字装置１は、不透明な第一カバー３１を備える。第二カバー３２は透明であるが、第一カバー３１が不透明であるため、カセットカバー３が本体筐体２に取り付けられた状態で、ユーザはカバー開口部４０以外からは本体筐体２の内部を視認できない。ゆえに、印字装置１は、美感を害する部位をユーザに認識させないため、美感を保つことができる。
【００６４】
印字装置１は、第二カバー壁部３２１の上面にＱＲコード３００が印刷されている。ゆえに、印字装置１は、カセットカバー３が本体筐体２に取り付けられた状態で、ユーザがテープカセット装着部５０に装着されたテープカセット９のテープ１００の残量や種類を確認するたびに、ＱＲコード３００をユーザに視認させることができる。さらに、最も外側の面である第二カバー壁部３２１の上面にＱＲコード３００が印刷されるため、ユーザはＱＲコード３００を明瞭に視認できる。ＱＲコード３００は明瞭であるため、印字装置１はＱＲコードを読み取ることが可能な装置でＱＲコード３００を容易に読み取らせることができる。また、印字装置１はＱＲコード３００を介して専用のアプリケーションにユーザを誘導しやすくなる。
【００６５】
上記実施形態において、上方が本発明の「第一方向」に相当する。右方が本発明の「第二方向」に相当する。左方が本発明の「第三方向」に相当する。前方が本発明の「第四方向」に相当する。後方が本発明の「第五方向」に相当する。第二右側壁部３２２が本発明の「第一側壁部」に相当する。第二左側壁部３２３が本発明の「第二側壁部」に相当する。第一右側壁部３１２が本発明の「第三側壁部」に相当する。第一左側壁部３１３が本発明の「第四側壁部」に相当する。第二前側壁部３２４が本発明の「第五側壁部」に相当する。第二後側壁部３２５が本発明の「第六側壁部」に相当する。押圧部４４が本発明の「固定部」に相当する。
【００６６】
本発明は、上記実施形態に限定されず種々の変更が可能である。例えば、第二カバー３２は、第二前側壁部３２４と第二後側壁部３２５とを備えなくてもよい。この場合、第二カバー３２の第二カバー壁部３２１は、カバー開口部４０によって囲まれた領域を覆っていればよい。第二カバー壁部３２１を上側に向けた印字装置１において、第二カバー壁部３２１に対して上方から液体が付着した場合、液体は第二左側壁部３２３または第二右側壁部３２２を伝って落ちる。ゆえに、印字装置１は上方から第二カバー壁部３２１に付着した液体が、カバー開口部４０を介して左右方向から本体筐体２の内部に侵入することを防止できる。この場合、上方が本発明の「第一方向」に相当する。右方が本発明の「第二方向」に相当する。左方が本発明の「第三方向」に相当する。第二右側壁部３２２が本発明の「第一側壁部」に相当する。第二左側壁部３２３が本発明の「第二側壁部」に相当する。
【００６７】
第二カバー３２は、第二左側壁部３２３と第二右側壁部３２２とを備えなくてもよい。この場合、第二カバー３２の第二カバー壁部３２１は、カバー開口部４０によって囲まれた領域を覆っていればよい。第二カバー壁部３２１に対して上方から液体が付着した場合、液体は第二前側壁部３２４または第二後側壁部３２５を伝って落ちる。ゆえに、印字装置１は上方から第二カバー壁部３２１に付着した液体が、カバー開口部４０を介して前後方向から本体筐体２の内部に侵入することを防止できる。この場合、上方が本発明の「第一方向」に相当する。前方が本発明の「第二方向」に相当する。後方が本発明の「第三方向」に相当する。第二前側壁部３２４が本発明の「第一側壁部」に相当する。第二後側壁部３２５が本発明の「第二側壁部」に相当する。
【００６８】
本実施形態において、第二カバー３２は透明であるが、第二カバー３２の上方から下側を視認できればよい。ゆえに、第二カバー３２は有色透明、無色透明、有色半透明、および無色半透明のいずれであってもよい。第一カバー３１は不透明であるが、透明または半透明であってもよい。
【００６９】
ＱＲコード３００は、他の情報であってもよい。例えば、印字装置１のブランド名、登録商標、型番等の機種情報が考えられる。この場合、機種情報は本発明の「第二所定情報」に相当する。
【００７０】
印字装置１は、第一カバー３１の第一カバー壁部３１１における上面、または第二カバー３２の第二カバー壁部３２１における下面にＱＲコードが印刷されもよい。カセットカバー３は第一カバー３１と第二カバー３２とを備えるため、印字装置１は第一カバー壁部３１１の上面および第二カバー壁部３２１の下面（すなわち、カセットカバー３の内側で互いに対向する面）にも印刷が可能である。ＱＲコードが印刷される面はカセットカバー３の内側を向く面であるので、傷が付いたり摩耗したりしない。ゆえに、印字装置１はＱＲコードを傷や摩耗から保護できる。さらに、第一カバー壁部３１１はテープカセット装着部５０を視認できるカバー開口部４０を有する。ゆえに、印字装置１は、ユーザがテープカセット装着部５０に装着されたテープカセット９のテープ１００の残量や種類を確認するたびに、ＱＲコードをユーザに視認させることができる。また、印字装置１はＱＲコードを介して専用のアプリケーションにユーザを誘導しやすくなる。なお、ＱＲコードの代わりに他の情報が印刷されてもよい。例えば、印字装置１のブランド名、登録商標、型番等の機種情報が考えられる。この場合、機種情報は本発明の「第一所定情報」に相当する。
【００７１】
印字装置１は４つの第一凸部４７を備えるが、４つに限定されず複数あればよい。また、４つの第一凸部４７は平面視略円状であるが、第二カバー壁部３２１からそれぞれ上方に突出してれば、形状はこれに限定されない。例えば、印字装置１は平面視略矩形状で左右方向に延びる第一凸部を第二カバー壁部３２１の前端部近傍と後端部近傍とに１つずつ設けてもよい。印字装置１は平面視略矩形状で前後方向に延びる第一凸部を第二カバー壁部３２１の左端部近傍と右端部近傍とに１つずつ設けてもよい。
【００７２】
印字装置１は４つの第二凸部４６を備えるが、４つに限定されず複数あればよい。また、４つの第二凸部４６は平面視略円状であるが、第二カバー壁部３２１であって４つの第一凸部４７のそれぞれの裏側から第一カバー壁部３１１に当接する位置まで突出していれば、形状はこれに限定されない。
【００７３】
印字装置１は、４つの第一凸部４７の裏側であって第二カバー壁部３２１から第一カバー壁部３１１まで突出する第二凸部４６の代わりに、４つの第一凸部４７の裏側であって第一カバー壁部３１１から第二カバー壁部３２１まで突出する複数の第三凸部を備えてもよい。この場合、カセットカバー３を上側から見た場合、第二カバー３２は透明であるが、複数の第三凸部はそれぞれ４つの第一凸部４７に隠れるため、ユーザは複数の第三凸部を認識しづらい。ゆえに、印字装置１は意匠に関係のない機能部品をユーザに認識させづらくできるため、美感を保つことができる。さらに、複数の第三凸部は、それぞれ第二カバー壁部３２１に当接する。これにより、ユーザが第二カバー壁部３２１を上側から押した場合、第二カバー壁部３２１は第一カバー壁部３１１側に撓まない。ゆえに、印字装置１は第二カバー壁部３２１が第一カバー壁部３１１に接触することにより、第一カバー壁部３１１および第二カバー壁部３２１が損傷することを防ぐことができる。
【００７４】
表示部９４に表示される情報はテープ１００の色や幅に限定されず、種々の情報が表示されてもよい。印字装置１は、カセットカバー３が本体筐体２に取り付けられた状態において、カバー開口部４０を介して必ずしもテープカセット装着部５０に装着されたテープカセット９の表示部９４と窓部９３との両方を視認できる必要はない。印字装置１は、テープカセット装着部５０にテープカセット９が装着されてなく、かつ、カセットカバー３が本体筐体２に取り付けられた状態において、カバー開口部４０を介してテープカセット装着部５０を視認できればよい。
【符号の説明】
【００７５】
１      印字装置
２      本体筐体
３      カセットカバー
５      本体開口部
９      テープカセット
３１    第一カバー
３２    第二カバー
４０    カバー開口部
４４    押圧部
４６    第二凸部
４７    第一凸部
５０    テープカセット装着部
１００  テープ
３１１  第一カバー壁部
３１２  第一右側壁部
３１３  第一左側壁部
３２１  第二カバー壁部
３２２  第二右側壁部
３２３  第二左側壁部
３２４  第二前側壁部
３２５  第二後側壁部
【図１】
2016168737.tif 000003
【図２】
2016168737.tif 000004
【図３】
2016168737.tif 000005
【図４】
2016168737.tif 000006
【図５】
2016168737.tif 000007
【図６】
2016168737.tif 000008